(57)【特許請求の範囲】
【請求項１】
測定データの波形表示を行うと共に、この波形表示のスケールを示すスケール板画像データにより、スケール板表示を行い、測定データとスケール板画像データと前記波形表示の上下限値であるスパン情報とを出力するペーパレスレコーダと、
このペーパレスレコーダからの測定データとスケール板画像データとスパン情報とを入力し、波形及び、前記スケール板画像データあるいは前記スパン情報に基づいてスケール板表示を行う表示手段と、
を有することを特徴とするペーパレスレコーダシステム。
【請求項２】
前記ペーパレスレコーダは、前記測定データと前記スケール板画像データとスパン情報とから少なくともなる波形ファイルとして出力を行い、この波形ファイルにより、前記表示手段は、波形及びスケール板表示を行うことを特徴とする請求項１記載のペーパレスレコーダシステム。
【請求項３】
前記ペーパレスレコーダは、
前記測定データと前記スケール板画像データと前記スパン情報とを記憶する記憶部と、
この記憶部から測定データとスケール板画像データとスパン情報とを入力し、前記波形ファイルとして作成するファイル作成部と、
を有することを特徴とする請求項２記載のペーパレスレコーダシステム。
【請求項４】
前記表示手段は、
表示部と、
前記ペーパレスレコーダからの測定データにより波形表示を前記表示部に行う波形表示手段と、
前記ペーパレスレコーダからのスケール板画像データあるいは前記スパン情報に基づいてスケール板表示を前記表示部に行うスケール板表示手段と、
を有することを特徴とする請求項１〜３のいずれかに記載のペーパレスレコーダシステム。
【発明の詳細な説明】
【技術分野】
【０００１】
本発明は、記録紙の代わりに２次元表示器を用いるペーパーレスレコーダシステムに関する。
【背景技術】
【０００２】
従来より、レコーダは、加熱冷却処理工程の温度履歴管理、発電機タービンの運転状態監視、気象測定などの各種の分野において、電圧・温度・圧力などの各種の物理量をそれぞれの測定対象に適合した測定センサで電圧や電流の電気信号に変換し、これら変換された電気信号の測定時間の経過に伴う変化の状態を線分の変化（波形）として紙やその他の記憶媒体に記録する装置として広く用いられている。このうち、特にペーパレスレコーダは、液晶ディスプレイ等の２次元表示器を用いて波形を表示し、また、記憶媒体はメモリ等の電子記憶媒体であるため、過去に記憶した測定データを、時刻・期間を指定して呼び出して表示することが可能である。ペーパレスレコーダの表示画面は、主として、物理量の測定データである波形表示と、この波形表示と隣接し、その物理値の目盛や値を読む際の目印等を示すスケール板表示とから成る。
【先行技術文献】
【特許文献】
【０００３】
【特許文献１】特開２００３−１４９００８号公報
【発明の概要】
【発明が解決しようとする課題】
【０００４】
ペーパレスレコーダは、スパン情報等から自動的にスケール板を作成し、２次元表示器にスケール表示を行っていた。近年、波形表示のスケールを示す画像データをコンピュータで作成し、この画像データをペーパレスレコーダに入力し、ペーパレスレコーダが表示を行うことによって、紙のレコーダと同様に、スケール板に自由度をつけて、オペレータが波形認識を直感的に行えるようにしている。
【０００５】
ペーパレスレコーダが記録する測定データは、紙のレコーダと同様に、長期間の保存を必要としている。このため、ペーパレスレコーダは、測定データを例えばＣＦ(Compact Flash)カード等により保存していた。この測定データを見る場合、通常、コンピュータで測定データの波形表示を行っていたが、スパン情報等から自動的に波形のスケールを表示していた。
【０００６】
このように、ペーパレスレコーダは、測定データだけを出力していたので、オペレータが直感的に認識を行える同じ画像データによるスケール板を用いるためには、ペーパレスレコーダを必要としてしまう。
【０００７】
しかし、ペーパレスレコーダは、現場に設置されているので、同一画面表示を行うためには、現場でＣＦカードをペーパレスレコーダに挿入し、波形表示を行わなければならなかった。
【０００８】
そこで、本発明の目的は、ペーパレスレコーダを用いることなく、ペーパレスレコーダと同一画面表示が行えるペーパレスレコーダシステムを実現することにある。
【課題を解決するための手段】
【０００９】
このような課題を解決するために、本発明のうち請求項１記載の発明は、
測定データの波形表示を行うと共に、この波形表示のスケールを示すスケール板画像データにより、スケール板表示を行い、測定データとスケール板画像データと前記波形表示の上下限値であるスパン情報とを出力するペーパレスレコーダと、
このペーパレスレコーダからの測定データとスケール板画像データとスパン情報とを入力し、波形及び、前記スケール板画像データあるいは前記スパン情報に基づいてスケール板表示を行う表示手段と、
を有することを特徴とする。
請求項２記載の発明は、請求項１記載の発明であって、
前記ペーパレスレコーダは、前記測定データと前記スケール板画像データとスパン情報とから少なくともなる波形ファイルとして出力を行い、この波形ファイルにより、前記表示手段は、波形及びスケール板表示を行うことを特徴とする。
請求項３記載の発明は、請求項２記載の発明であって、
前記ペーパレスレコーダは、
前記測定データと前記スケール板画像データと前記スパン情報とを記憶する記憶部と、
この記憶部から測定データとスケール板画像データとスパン情報とを入力し、前記波形ファイルとして作成するファイル作成部と、
を有することを特徴とする。
請求項４記載の発明は、請求項１〜３のいずれかに記載の発明であって、
前記表示手段は、
表示部と、
前記ペーパレスレコーダからの測定データにより波形表示を前記表示部に行う波形表示手段と、
前記ペーパレスレコーダからのスケール板画像データあるいは前記スパン情報に基づいてスケール板表示を前記表示部に行うスケール板表示手段と、
を有することを特徴とする。
【発明の効果】
【００１０】
本発明によれば、ペーパレスレコーダが、測定データ、スケール板画像データを出力し、この測定データ、スケール板画像データにより、表示手段２３１が波形及びスケール板表示を行うので、ペーパレスレコーダ１を用いることなく、ペーパレスレコーダ１と同一画面表示が行える。つまり、長期保存した測定データをオペレータによる直感的認識が、場所の制限を受けることなく行える。
【図面の簡単な説明】
【００１１】
【図１】本発明の一実施例を示した構成図である。
【図２】図１に示す装置で使用されるスケール板画像データ１２３を示した図である。
【図３】図１に示す装置のモニタ部２４の表示例を示した図である。
【図４】図１に示す装置のモニタ部２４の他の表示例を示した図である。
【発明を実施するための形態】
【００１２】
以下本発明を、図面を用いて詳細に説明する。図１は本発明の一実施例を示した構成図である。
【００１３】
ペーパレスレコーダ１は、測定信号入力部１１と、第１の記憶部１２と、画面表示部１３と、表示部１４と、ファイル作成部１５と、第２の記憶部１６と、出力インタフェース１７と、を有する。測定信号入力部１１は、図示しない外部の測定機器から出力されるアナログ電気信号を入力してその信号をデジタルサンプリングし、その結果である測定データを出力する。第１の記憶部１２は、測定信号入力部１１と接続されており、測定信号入力部１１の出力である測定データ１２１と、図示しない入力部、例えばキー等により入力される設定データ１２２と、例えば、図２に示されるようなビットマップデータで、波形表示のスケールを示すスケール板画像データ１２３とを格納する。設定データ１２２は、測定データ１２１を波形表示する際の上下限値であるスパン値を含む。画面表示部１３は、波形表示部１３１と、スケール板表示部１３２と、を有し、第１の記憶部１２と接続され、記憶部１２のデータにより表示部１４に画面を表示する。波形表示部１３１は、第１の記憶部１２に格納されている測定データ１２１および設定データ１２２に基づいて、表示部１４に波形表示を行う。スケール板表示部１３２は、第１の記憶部１２のスケール板画像データ１２３によりスケール板表示を表示部１４に行う。ファイル作成部１５は、第１の記憶部１２からの測定データ１２１、設定データ１２２、スケール板画像データ１２３を入力し、波形ファイルＡとして作成し、出力する。第２の記憶部１６は、ファイル作成部１５の出力である波形ファイルＡを入力し、記憶する。
出力インタフェース１７は、第２の記憶部１６にある波形ファイルＡを入力し、出力するインタフェースである。
【００１４】
コンピュータ２は、パーソナルコンピュータ等で、入力インタフェース２１と、記憶部２２と、画面表示手段２３と、モニタ部（表示部）２４と、を有し、ペーパレスレコーダ１の出力インタフェース１７と接続されている。入力インタフェース２１は、ペーパレスレコーダ１の出力インタフェース１７と接続されており、出力インタフェース１７が出力する波形ファイルＡを入力し、出力する。記憶部２２は、入力インタフェース２１が出力する波形ファイルＡを入力し、格納する。画面表示手段２３は、波形表示手段２３１と、スケール板表示手段２３２と、を有し、記憶部２２と接続され、記憶部２２のデータによりモニタ部２４に画面を表示する。波形表示手段２３１は、記憶部２２の波形ファイルＡに含まれる測定データおよび設定データに基づいて、モニタ部２４に波形表示を行う。スケール板表示手段２３２は、記憶部２２の波形ファイルＡに含まれるスケール板画像デー
タに基づいて、モニタ部２４にスケール板表示を行う。ここで、画像表示手段２３とモニタ部２４とが表示手段を構成する。
【００１５】
このような装置の動作を、図面を用いて説明する。
測定信号入力部１１は、図示しない外部の測定機器から出力されるアナログ電気信号を入力してその信号をデジタルサンプリングし、その結果である測定データを記憶部１２に格納する。そして、画面表示部１３の波形表示部１３１は、第１の記憶部１２に格納されている測定データ１２１および測定データ１２２に基づいて、表示部１４に波形表示を行い、画面表示部１３のスケール板表示部１３２が、第１の記憶部１２のスケール板画像データ１２３に基づいて、表示部１４にスケール板表示を行う。
【００１６】
次に、図示しない入力部、例えばキー等により指示され、ファイル作成部１５は、第１の記憶部１２の測定データ１２１と設定データ１２２とスケール板画像データ１２３とを波形ファイルＡとして作成し、記憶部１６に格納する。この記憶部１６から出力インタフェース１７がコンピュータ２に出力する。
【００１７】
そして、コンピュータ２の入力インタフェース２１は、ペーパレスレコーダ１の出力インタフェース１７からの波形ファイルＡを入力し、記憶部２２に格納する。図示しない入力部、例えば、キーボード、マウス等により画面表示手段２３が操作され、画面表示手段２３の波形表示手段２３１は、記憶部２２の波形ファイルＡに含まれる測定データおよび設定データに基づいて、モニタ部２４に波形表示を行う。そして、スケール板表示手段２３２も、記憶部２２の波形ファイルＡに含まれるスケール板画像データに基づき、モニタ部２４にスケール板表示を行う。
【００１８】
さらに詳細に、図３を用いてモニタ部２４の表示例を示し、説明する。そして、図３は、２系統（ＣＨ１とＣＨ２）からの電気信号を入力する場合を例として示す。ａ１は波形表示部で、横軸が時刻、縦軸が物理量の値を表している。ａ１１は「ＣＨ１」の波形、ａ１２は「ＣＨ２」の波形を示している。ａ１３の線分は、カーソルを示している。ａ２はスケール板表示部で、波形表示部ａ１の右側に隣接して表示される。ａ２１は波形データの物理量を読むための目盛を示しており、この例では１．０Ｖ〜２．０Ｖおよび−１．０Ｖ〜−２．０Ｖの範囲では最小目盛が０．０５Ｖ間隔、−１．０Ｖ〜１．０Ｖの範囲では最小目盛が１Ｖ間隔となっている。ａ２２とａ２３はそれぞれ「ＣＨ１」および「ＣＨ２
」のスケールマークで、それぞれ波形ａ１１、ａ１２が、カーソルａ１３と交差する縦軸の位置を示している。ａ２４、ａ２５は、波形の物理量を読む際の目印である。この例では、たとえば、１．５Ｖ〜２．０Ｖおよび−１．５Ｖ〜−２．０Ｖの範囲が赤の目印で危険領域（ａ２４）、１．０Ｖ〜１．５Ｖおよび−１．０Ｖ〜−１．５Ｖが黄色の目印で注意領域（ａ２５）であり、目印のない、１．０Ｖ〜−１．０Ｖは安全領域であることを示したい場合等に用いている。
【００１９】
すなわち、波形表示手段２３１が、記憶部２２の波形ファイルＡに含まれる測定データおよび設定データに基づいて、波形ａ１１、ａ１２、カーソルａ１３を表示し、波形表示部ａ１をモニタ部２４に表示する。そして、スケール板表示手段２３２も、記憶部２２の
波形ファイルＡに含まれるスケール板画像データ、つまり、図２に示されるビットマップデータを表示し、スケールマークａ２２、ａ２３と共に、スケール板表示部ａ２を波形表示部ａ１に隣接してモニタ部２４に表示する。
【００２０】
このように、ペーパレスレコーダ１が、測定データ、設定データ、スケール板画像データを含むファイルＡを出力し、このファイルＡの測定データ、設定データにより、波形表示手段２３１がモニタ部２４に波形を表示し、ファイルＡのスケール板画像データにより、スケール板表示手段２３２がモニタ部２４にスケール板を表示するので、ペーパレスレコーダ１を用いることなく、ペーパレスレコーダ１と同一画面表示が行える。つまり、長期保存した測定データをオペレータによる直感的確認が、場所の制限を受けることなく行える。
【００２１】
なお、本発明はこれに限定されるものではなく、スケール板表示手段２３２はスケール板画像データによるスケール板表示を示したが、スケール板表示手段２３２が、図４に示すように、設定データによるスケール板も表示する構成でもよい。図４において、ｂ２はスケール板表示部である。ｂ２１は波形データの物理量の目盛を示し、表示される全ての範囲で最小目盛が０．１Ｖ間隔となっている。ａ２２とａ２３はそれぞれ「ＣＨ１」および「ＣＨ２」のスケールマークである。この場合、スケール板表示手段２３２は、記憶部２２の波形ファイルＡの設定データから、スケール板を作成し、波形表示部ａ１の左側に隣接してスケール板表示部ｂ２を表示する。
【００２２】
また、モニタ部２４に、波形表示部ａ１を左側、スケール板表示部ａ２を右側に隣接して表示する例を示したが、波形表示部ａ１を右側、スケール板表示部ａ２を左側に表示する構成や、波形表示部ａ１、スケール板表示部ａ２を上下に表示する構成でもよい。すなわち、波形表示とスケール板表示とを並べて表示する構成であればよい。
【００２３】
そして、ペーパレスレコーダ１とコンピュータ２とを接続して、波形ファイルを渡す構成を示したが、ペーパレスレコーダ１でＣＦ(Compact Flash)カードや、ＵＳＢ(Universal Serial Bus)メモリ等に波形ファイルを格納し、コンピュータ２に渡す構成でもよい。
【００２４】
そして、スパン情報を設定データとしたが、スパン情報が測定データに含まれる構成でもよい。つまり、１つの波形ファイルは少なくとも測定データとスケール板画像データとからなる構成であればよい。
【００２５】
さらに、スケール板画像データ２３は、ビットマップデータを示したが、その他の画像データでもよい。
【符号の説明】
【００２６】
１  ペーパレスレコーダ
１１  測定信号入力部
１２  第１の記憶部
１２１  測定データ
１２２  設定データ
１２３  スケール板画像データ
１３  画面表示部
１３１  波形表示部
１３２  スケール板表示部
１５  ファイル作成部
１４  表示部
１６  第２の記憶部
１７  出力インタフェース
２  コンピュータ
２１  入力インタフェース
２２  記憶部
２３  画面表示手段
２３１  波形表示手段
２３２  スケール板表示手段
２４  モニタ部
【図１】
0005440092.tif 000002
【図２】
0005440092.tif 000003
【図３】
0005440092.tif 000004
【図４】
0005440092.tif 000005